(57)【要約】【課題】締上げ処理をすることなく硬貨回収庫及び紙幣回収庫の交換を可能にする。【解決手段】硬貨回収庫１５及び紙幣回収庫２５に記憶部１５ａ、２５ａを設けてそれぞれ固有のＩＤを記憶させ、硬貨回収庫１５及び紙幣回収庫２５の交換の際に記憶部部１５ａ、２５ａからＩＤを読取って記憶部７に登録すると共に、入金処理ときに硬貨回収庫１５及び紙幣回収庫２５に収納する硬貨及び紙幣を登録して管理する。【選択図】図１
2007265154.tif 000002
【特許請求の範囲】
【請求項１】
小売店の店舗に設置されたレジスタに収納するための現金を釣銭用現金収納庫から出金する出金機能とレジスタから回収した現金を入金して前期釣銭用現金収納庫と現金回収庫に収納する入金機能とを備えた現金処理装置において、
各現金回収庫に設けられ、現金回収庫を識別するための回収庫識別情報を保有した識別情報保有部と、
この識別情報保有部から識別情報を取得する識別情報取得部と
現金回収庫の着脱を規制するロック手段と、
出金情報及び入金情報を登録する入出金情報登録部と、
締上げ処理が選択されたとき前記入出金情報登録部に登録された出金情報及び入金情報を基にレジスタの売上金額合計、前記釣銭収納庫内の収納金額、現金回収庫内の収納金額を演算する演算部と、
演算結果を出力する出力部と、
締上げ処理後に演算に使用した出金情報及び入金情報に関連付けて締上げ完了の情報を前記入出金情報登録部に登録し、かつ前記締上げ処理後に回収処理が選択されたとき、または締上げ処理前に現金回収庫の交換が選択されたとき、前記ロック手段によるロックを解除して前記現金回収庫を交換可能とし、現金回収庫を交換完了後、交換前後の現金回収庫の識別情報を比較して、両識別情報が不一致のとき回収庫交換処理を完了とする制御部と、
を備えたことを特徴とする現金処理装置。
【請求項２】
請求項１に記載の現金処理装置において
入金処理完了後に、その入金情報を基に現金回収庫内の収納金額を演算する演算部と、
現金回収庫を交換完了後に、現金回収庫が交換されたことを示す情報、及び現金回収庫の収納金額を登録する回収庫情報登録部と、
締上げ処理完了後に、それまで交換された回収庫内の収納金額を出力する出力部と、
を備えたことを特徴とする現金処理装置。
【請求項３】
請求項１に記載の現金処理装置において
入金処理完了後に、その入金情報を基に現金回収庫内の収納金額を演算する演算部と、
現金回収庫を交換完了後に、現金回収庫が交換されたことを示す情報、及び現金回収庫の収納金額を登録する回収庫情報登録部と、
回収処理完了後に、回収した現金回収庫内の収納金額、及びそれまで交換された回収庫内の収納金額を出力する出力部と、
を備えたことを特徴とする現金処理装置。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金処理装置に関するものである。
【背景技術】
【０００２】
従来のこの種の現金処理装置として、小売店の店舗に設置されたレジスタに収納するための釣銭用の現金を釣銭用現金収納庫から出金する出金機能、レジスタから回収した売上金等の現金を入金し、釣銭分の現金は釣銭用現金収納庫に収納すると共に、売上分の現金は現金回収庫に収納する入金機能、入金及び出金の金額や金種毎の入出金枚数等を管理し、これらを締上げに集計して、その集計結果を表示部に表示すると共に、伝票に記録して放出する締上げ処理機能を有する装置が提案されており、この装置はレジスタから回収した現金のうち釣銭分の現金は釣銭用現金収納庫に収納すると共に、売上分の現金は現金回収庫に収納することで、回収した現金を出金に利用できるようにしたリサイクル機能を持たせて現金の効率的な運用を可能にしている（例えば、特許文献１参照）。
【特許文献１】特開２００５−０３８０６２号公報（段落「００２７」〜段落「００６１」、図１、図４〜図６）
【発明の開示】
【発明が解決しようとする課題】
【０００３】
しかしながら、上述した従来の技術においては、入金処理により現金回収庫が満杯になった場合、締上げ処理をしないと現金回収庫を交換して現金の回収を行うことができないという問題がある。
本来、現金回収庫は売上金額を予想して、充分な現金収納容量を確保するものであるが、予測を大幅に上回る売上の発生は回避することができず、また装置の小型化というニーズがある状況の中で、現金収納容量を確保して満杯が生じることを防止するには限界があり、そのため装置稼動中に現金回収庫が満杯になった場合、満杯となった現金回収庫から現金を回収するために現金回収庫を取外して空の現金回収庫と交換する必要が生じてくる。
【０００４】
この場合、満杯となった現金回収庫から現金を回収するために現金回収庫を交換すると、装置内の現金の額が確定できなくなるため、締上げ処理後でなければ、現金の回収は認められず、そのため現金回収庫内の現金を回収するために、同日に締上げ処理を複数回行うと、締上げ処理毎に締上げ結果を記録した伝票が作成されることになり、一日の締上げ結果を求めるためには複数枚の伝票を集計することが必要となって作業が煩雑となり、利便性が低下するものとなる。
【０００５】
本発明は、このような問題を解決することを課題とする。
【課題を解決するための手段】
【０００６】
そのため、本発明は、小売店の店舗に設置されたレジスタに収納するための現金を釣銭用現金収納庫から出金する出金機能とレジスタから回収した現金を入金して前期釣銭用現金収納庫と現金回収庫に収納する入金機能とを備えた現金処理装置において、各現金回収庫に設けられ、現金回収庫を識別するための回収庫識別情報を保有した識別情報保有部と、この識別情報保有部から識別情報を取得する識別情報取得部と、現金回収庫の着脱を規制するロック手段と、出金情報及び入金情報を登録する入出金情報登録部、締上げ処理が選択されたとき前記入出金情報登録部に登録された出金情報及び入金情報を基にレジスタの売上金額合計、前記釣銭収納庫内の収納金額、現金回収庫内の収納金額を演算する演算部、  演算結果を締上げ処理情報として登録する締上げ情報登録部、演算結果を出力する出力部と、締上げ処理後に回収処理が選択されたとき、または締上げ処理前に現金回収庫の交換が選択されたとき、前記ロック手段によるロックを解除して前記現金回収庫を交換可能とし、現金回収庫を交換完了後、交換前後の現金回収庫の識別情報を比較して、両識別情報が不一致のとき回収庫交換処理を完了とする制御部とを備えたことを特徴とする。
【発明の効果】
【０００７】
このようにした本発明は、回収庫識別情報を保有した識別情報保有部を現金回収庫に設け、回収庫の交換の際に回収庫識別情報を取得して管理することでの認識部に、装置が回収庫の交換を把握できるようにしているため、締上げ処理をせずに回収庫を交換しても、装置内の現金を確定することができる。
また、交換する現金回収庫の現金と、交換したことを示す情報を登録しているため、締上げや、回収の際に、これらを伝票に出力することで、交換した回収庫を忘れるミスを防止することができる。
【発明を実施するための最良の形態】
【０００８】
以下、図面を参照して本発明による現金処理装置の実施例を説明する。
【実施例】
【０００９】
図１は実施例の構成を示すブロック図である。
本実施例の現金処理装置は、レジスタを使用する小売店等に設置されるもので、図において１は硬貨（現金）の入出金処理を行う硬貨処理機、２は紙幣（現金）の入出金処理を行う紙幣処理機である。
硬貨処理機１は、レジスタから回収した硬貨を一括して受け入れる硬貨入金口１１と、この硬貨入金口１１に受け入れた硬貨を１枚ずつ分離する図示しない分離部と、硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭準備金として使用する硬貨を金種別に収納する複数の釣銭用硬貨収納庫（釣銭用現金収納庫）１４、入金硬貨を金種別に収納する硬貨回収庫（現金回収庫）１５と、釣銭用の硬貨を出金するための硬貨出金庫１６と、硬貨リジェクト口１７と、硬貨処理機１からの硬貨回収庫１５の着脱を確認するためのセンサと、動作中や締上げ処理前に硬貨回収庫１５の取外しを防止するための電磁ロック手段と、図示しない記憶部に格納された制御プログラムに基づいて硬貨処理機１全体の動作制御を行う制御部１８を有している。
【００１０】
ここで一時保留部１３、釣銭用硬貨収納庫１４、硬貨回収庫１５、及び硬貨出金庫１６は金種毎に分けて硬貨を集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金庫１６との間には、釣銭用硬貨収納庫１４から排出される硬貨を硬貨回収庫１５と硬貨出金庫１６のいずれかに導く振分け手段と、通過する硬貨を金種毎に計数する計数手段が設けられている。
【００１１】
また、前記各釣銭用硬貨収納庫１４に対しては、収納する硬貨の金種毎に保管基準額が設定されており、その保管基準額を保つために入金処理された硬貨を収納するようになっている。
この釣銭用硬貨収納庫１４にも硬貨を搬送路に繰出す繰出し手段が設けられている。
硬貨回収庫１５は複数用意され、必要に応じて交換されるものであるが、本実施例の硬貨回収庫１５には記憶部（識別情報保有部）１５ａが設けられていて、この記憶部１５ａには硬貨回収庫１５を識別するためのＩＤ番号等の固有の識別情報が記憶され、制御部１８または後述する主制御部がこの識別情報を認識して硬貨回収庫１５を特定するものとなっている。
【００１２】
一方、紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する紙幣一時保留部２３と、レジスタ用の釣銭準備金として使用する特定金種（例えば、五千円、千円）の紙幣を金種別に収納する釣銭用紙幣収納庫（釣銭用現金収納庫）２４と、入金紙幣を金種別に収納する紙幣回収庫（現金回収庫）２５と、紙幣リジェクト庫２６と、これらの間で紙幣を搬送ベルト等で挟持して搬送する搬送路と、紙幣処理機２からの紙幣回収庫２５の着脱を確認するためのセンサと、動作中や締上げ処理前に紙幣回収庫２５の取外しを防止するための電磁ロック手段と、図示しない記憶部に格納された制御プログラムに基づいて紙幣処理機２全体の動作制御を行う制御部２７を備えている。
【００１３】
尚、紙幣一時保留部２３には紙幣を繰出す繰出し手段が設けられている。
前記各釣銭用紙幣収納庫２４に対しては、収納する紙幣の金種毎に保管基準額が設定されており、その保管基準額を保つために入金処理された紙幣を収納するようになっている。
この釣銭用紙幣収納庫２４にも紙幣の集積手段が紙幣を搬送路に繰出す繰出し手段と共に設けられている。
【００１４】
また、紙幣回収庫２５は複数用意され、必要に応じて交換されるものであるが、各紙幣回収庫２５には、ニアフルやフルを検知するセンサが設けられており、これらのセンサにより紙幣の有無や、満杯状態を確認できるようになっている。但し、収納量は後述するテーブルに格納される入金履歴からも把握可能である。
更に、紙幣回収庫２５には、硬貨回収庫１５と同様に記憶部（識別情報保有部）２５ａが設けられていて、この記憶部２５ａに紙幣回収庫２５を識別するためのＩＤ番号等の固有の識別情報が記憶され、制御部１８または後述する主制御部がこの識別情報を認識して紙幣回収庫２５を特定するものとなっている。
【００１５】
尚、記憶部１５ａ、２５ａを設ける代わりに硬貨回収庫１５及び紙幣回収庫２５の一部を特徴的な形状にして固有の識別情報保有部とし、その形状の差を光学センサやマイクロスイッチ、あるいは磁気検知器で検出することにより硬貨回収庫１５及び紙幣回収庫２５を識別することも可能である。
３はＬＣＤ等による表示部で、各種の処理操作の案内、現金処理のための入力画面や入力された情報、及び金種別の入出金金額や入出金の合計金額等を表示する。
【００１６】
４はレジスタの現金を入出金するレジ担当者や売上の締めを行う管理者が操作するキーボードあるいは表示部３上に配置されたタッチパネル等の操作部で、入金処理や出金処理、締上げ処理、回収処理等を行うことを指示（入力）するためのキーや金額等を入力するためのテンキー等を備えている。
５はカードリーダで、当該現金処理装置の利用者であるレジ担当者や管理者等がそれぞれ携帯するＩＤカードの情報を読取る機能を有している。
【００１７】
ＩＤカードには装置利用者であるレジ担当者、管理者、現金回収者を識別するための区分情報が記録されており、これらレジ担当者、管理者、現金回収者に該当する区分情報が記録されたＩＤカードが配布されている。
尚、レジ担当者用のＩＤカードには、レジ番号などのレジスタを特定する情報も記録されている。
【００１８】
このレジ担当者用のＩＤカードは、レジスタ毎またはレジ担当者毎に用意され、レジ担当者毎に配布する場合、レジ担当者が複数のレジスタを操作するのであれば、使用するレジスタ毎にＩＤカードが与えられる。
６は伝票記録部（プリンタ）で、硬貨処理機１や紙幣処理機２で行われた入金処理や出金処理の金額、金種別枚数等を伝票に記録（印字）して出力するものである。
【００１９】
７は記憶部で、入金・出金処理履歴、回収庫交換履歴、釣銭収納庫入出金履歴、回収庫入金履歴を格納するカウンタテーブルを有し、またこの記憶部７には後述する主制御部が実行する制御プログラムが格納され、更に主制御部による処理結果も記憶するものとなっている。
８は記憶部７に格納された制御プログラムに基づいて装置全体の制御を行う主制御部で、本実施例では記憶部７のカウンタテーブルに登録する入金・出金処理履歴、回収庫交換履歴、釣銭収納庫入出金履歴、回収庫入金履歴を管理し、必要に応じてこれらの履歴情報の書込み、更新を行う他、操作部４から入力される締上げ処理要求に応じて、締上げ処理完了の入金情報及び出金情報を基にレジスタの売上金額合計、釣銭収納庫内の収納金額を演算する演算部として機能する。
【００２０】
尚、硬貨処理機１の制御部１８及び紙幣処理機２の制御部２７はこの主制御部８の指示により硬貨処理機１及び紙幣処理機２を制御するものとなっている。
図２は前記記憶部７のカウンタテーブルに記憶（登録）される履歴内容例を示す図で、同図（ａ）は入金・出金処理履歴、同図（ｂ）は回収庫交換履歴、同図（ｃ）は釣銭収納庫入出金履歴、同図（ｄ）は回収庫入金履歴である。
【００２１】
図２（ａ）の入金・出金処理履歴は、通番、レジＮｏ.、利用者ＩＤ、処理日時、区分、金額、金種、締上げ日時により構成されており、通番のエリアには処理毎に付与される通し番号が書込まれ、レジＮｏ．のエリアにはレジ担当者のＩＤカードから読取ったレジスタの番号が書込まれる。このレジＮｏ．はレジスタ毎に集計する際に利用される。
また、利用者ＩＤのエリアにはレジ担当者のＩＤカードから読取ったＩＤ番号等が書込まれ、処理日時のエリアには入金または出金処理を行ったときの日付及び時刻が書込まれる。
【００２２】
区分のエリアには処理が入金であるか出金があるかを示す情報が書込まれ、金額のエリアには入金または出金処理の処理金額が書込まれる。
また、万、五千・・・一等の金種エリアには処理した金種毎の枚数がそれぞれ書込まれ、更に締上げ日時のエリアには締上げを行ったときの日時が書込まれる。この締上げ日時は、締上げ処理されたか否かを示す情報で、これが書込まれたものについては締め上げ処理対象から除外される。
【００２３】
図２（ｂ）の回収庫交換履歴は、通番、利用者ＩＤ、処理日時、区分、交換の前後、金額、金種により構成されており、通番のエリアには処理毎に付与される通し番号が書込まれ、利用者ＩＤのエリアには交換操作行った利用者のＩＤカードから読取ったＩＤ番号等が書込まれる。
また、処理日時のエリアには入金または出金処理を行ったときの日付及び時刻が書込まれ、区分のエリアには回収処理による交換か交換処理による交換かを示す情報が書込まれる。
【００２４】
交換の「前」のエリアには交換前の回収庫のＩＤ番号が、また交換の「後」のエリアには交換後の回収庫のＩＤ番号がそれぞれ書込まれる。回収庫は上述した硬貨処理機１で用いられる硬貨回収庫１５と、紙幣処理機２で用いられる紙幣回収庫２５があり、ＩＤ番号のＣは硬貨回収庫１５であることを示し、Ｂは紙幣回収庫２５であることを示している。
また、金額のエリアには交換前の回収庫に収納されていた現金の金額が書込まれ、更に万、五千・・・一等の金種エリアには処理した金種毎の枚数がそれぞれ書込まれる。
【００２５】
図２（ｃ）の釣銭収納庫入出金履歴は、通番、処理日時、区分、金種により構成されており、通番のエリアには処理毎に付与される通し番号が書込まれ、処理日時のエリアには入金または出金処理を行ったときの日付及び時刻が書込まれる。
また、区分のエリアには処理が入金であるか出金があるかを示す情報が書込まれ、更に万、五千・・・一等の金種エリアには処理した金種毎の枚数がそれぞれ書込まれる。
【００２６】
図２（ｄ）の回収庫入金履歴は、通番、処理日時、庫ＩＤ、金種により構成されており、通番のエリアには処理毎に付与される通し番号が書込まれ、処理日時のエリアには入金処理を行ったときの日付及び時刻が書込まれる。
また、庫ＩＤのエリアには硬貨回収庫１５と紙幣回収庫２５のＩＤ番号が書込まれ、更に万、五千・・・一等の金種のエリアには処理した金種毎の枚数がそれぞれ書込まれる。
【００２７】
このような構成を有する現金処理装置では、レジスタに補充する釣銭用の現金を出金し、レジスタから回収した現金を入金するもので、入金額の合計から出金額額の合計を差引いた金額が売上額になる。
尚、釣銭の補充はとレジスタからの回収はレジ担当者の交代毎に行われる。また、業務終了時には出金額、入金額、売上額の集計が行われ、締上げ処理後、現金の回収が行われる。
【００２８】
上述した構成の作用について説明する。
尚、以下に説明において、主制御部８や制御部１８、２７による制御の説明については、必要な説明を除いて省略する。
まず、レジ担当者がレジスタに釣銭を補充する現金を出金させる場合の出金処理について説明する。
【００２９】
図３はその出金処理の手順を示すフローチャートで、図中のＳはステップを示し、以下このステップに従って説明する。
レジ担当者が自分のＩＤカードを現金処理装置に設けられているカード挿入排出口に挿入すると、カードリーダ５がＩＤカードから利用者の区分、レジＮｏ．を読取る（Ｓ１）。
また、レジ担当者はカード挿入後、操作部４を操作して自分の個人ＩＤ（利用者ＩＤ）、パスワードを入力する（Ｓ２）。
【００３０】
主制御部８はレジ担当者が入力した個人ＩＤ、パスワードを予め記憶部７等に登録されている個人ＩＤ、パスワードを照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
ここでレジ担当者が操作部４を操作して「出金」を選択すると、主制御部８は「出金」の選択を受付け（Ｓ４）、表示部３に出金金額入力画面を表示する。
【００３１】
この画面を見てレジ担当者が操作部４を操作して、出金金額（硬貨及び紙幣の金種毎の枚数）を入力すると、主制御部８はその入力金額を受付けて（Ｓ５）、その出金金額と硬貨処理機１の釣銭用硬貨収納庫１４及び紙幣処理機２の釣銭用紙幣収納庫２４内の現金を比較し、出金の可否を判断する（Ｓ６）。
釣銭用硬貨収納庫１４及び釣銭用紙幣収納庫２４内の現金の不足により出金不可と判断した場合、その旨のメッセージ画面を表示部３に表示して終了する。
【００３２】
出金可能な場合は、硬貨処理機１の釣銭用硬貨収納庫１４及び紙幣処理機２の釣銭用紙幣収納庫２４から該当金種の硬貨及び紙幣が繰出され、硬貨鑑別部１２及び紙幣鑑別部２２で鑑別、計数され、硬貨出金庫１６や紙幣入出金口２１に出金される（Ｓ７）。
出金が終了すると主制御部８は今回の出金処理結果として通番、レジＮｏ．、利用者ＩＤ、処理日時、区分、出金金額、金種別枚数等を記憶部７のカウンタテーブルの入金・出金処理履歴（入出金処理情報登録部）に書込んで更新すると共に、釣銭収納庫入出金履歴に通番、処理日時、区分、金種別枚数等を書込んで更新し（Ｓ８）、更に伝票記録部６で処理結果を伝票に記録してレジ担当者に発行する（Ｓ）。
【００３３】
尚、入金・出金処理履歴等の更新は伝票発行後に行うようにしてもよい。
図８はこの出金処理結果が記録された伝票の例を示す図で、出金処理日時、レジＮｏ．、利用者のＩＤ番号、金種別枚数、出金金額等が記録されている。
次に、レジ担当者がレジスタから回収した現金を入金させる場合の入金処理について説明する。
【００３４】
図４はその入金処理の手順を示すフローチャートで、図中のＳはステップを示し、以下このステップに従って説明する。
レジ担当者が自分のＩＤカードを現金処理装置に設けられているカード挿入排出口に挿入すると、カードリーダ５がＩＤカードから利用者の区分、レジＮｏ．を読取る（Ｓ１１）。
また、レジ担当者はカード挿入後、操作部４を操作して自分の個人ＩＤ（利用者ＩＤ）、パスワードを入力する（Ｓ１２）。
【００３５】
主制御部８はレジ担当者が入力した個人ＩＤ、パスワードを予め記憶部７等に登録されている個人ＩＤ、パスワードを照合し、正当性が確認された場合、ＩＤカードから読取った利用者区分に基づき、レジ担当者が操作可能な「出金」、「入金」を選択するメニュー画面を表示部３に表示し（Ｓ１３）、レジ担当者に選択させる。
ここでレジ担当者が操作部４を操作して「入金」を選択すると、主制御部８は「入金」の選択を受付ける（Ｓ１４）。
【００３６】
そして、硬貨処理機１及び紙幣処理機２は主制御部８の指示により硬貨入金口１１及び紙幣入出金口２１に設けられているシャッタをそれぞれ開放して、レジ担当者がレジスタから回収してきた現金である硬貨及び紙幣を受入れ、硬貨鑑別部１２及び紙幣鑑別部２２で鑑別、計数して硬貨一時保留部１３及び紙幣一時保留部２３に一時保留する（Ｓ１５）。
【００３７】
受入れたすべての硬貨及び紙幣を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる（Ｓ１６）。
ＮＧの場合、一時保留した硬貨は硬貨リジェクト口１７から、紙幣は紙幣入出金口２１からレジ担当者に返却する（Ｓ１７）。
【００３８】
ＯＫの場合、一時保留した硬貨及び紙幣の内、売上金の分を硬貨回収庫１５及び紙幣回収庫２５に収納し、釣銭の分は釣銭用硬貨収納庫１４及び釣銭用紙幣収納庫２４に収納する。
硬貨回収庫１５及び紙幣回収庫２５への収納が終了すると、主制御部８は今回の処理結果として通番、レジＮｏ．、利用者ＩＤ、区分、入金金額、金種別枚数等を記憶部７のカウンタテーブルの入金・出金処理履歴（入出金処理情報登録部）に書込んで更新すると共に、釣銭収納庫入出金履歴には通番、処理日時、区分、金種別枚数等を、また、回収庫入金履歴には通番、処理日時、回収庫ＩＤ、金種別枚数等書込んで更新し（Ｓ１８）、更に伝票記録部６で処理結果を伝票に記録してレジ担当者に発行する（Ｓ１９）。
【００３９】
尚、入金・出金処理履歴等の更新は伝票発行後に行うようにしてもよい。
図９はこの入金処理結果が記録された伝票の例を示す図で、入金処理日時、レジＮｏ．、利用者のＩＤ番号、金種別枚数、入金金額等が記録されている。
その後、主制御部８は硬貨回収庫１５及び紙幣回収庫２５がフル（満杯）か否かを確認し（Ｓ２０）、満杯の場合はその旨を表示部に表示したり、警報ランプを点灯して報知する（Ｓ２１）。
【００４０】
尚、硬貨回収庫１５及び紙幣回収庫２５が満杯か否かの確認は、メニュー画面表示の際や、入金選択の受付時等に行ってもよい。
次に、管理者による締上げ処理について説明する。
図５は締上げ処理の手順を示すフローチャートで、図中のＳはステップを示し、以下このステップに従って説明する。
【００４１】
管理者が自分のＩＤカードを現金処理装置に設けられているカード挿入排出口に挿入すると、カードリーダ５がＩＤカードから利用者の区分を読取る（Ｓ３１）。
また、管理者はカード挿入後、操作部４を操作して自分の個人ＩＤ（利用者ＩＤ）、パスワードを入力する（Ｓ３２）。
主制御部８は管理者が入力した個人ＩＤ、パスワードを予め記憶部７等に登録されている個人ＩＤ、パスワードを照合し、正当性が確認された場合、ＩＤカードから読取った利用者区分に基づき、管理者が操作可能な「締上げ」、「回収」、「交換」を選択するメニュー画面を表示部３に表示し（Ｓ３３）、管理者に選択させる。
【００４２】
ここで管理者が操作部４を操作して「締上げ」を選択すると、主制御部８は「締上げ」の選択（締上げ要求）を受付け（Ｓ３４）、記憶部７のカウンタテーブルの入金・出金処理履歴、釣銭収納庫入出金履歴を基に前回の締上げ時から現在までの入金額、出金額、釣銭準備金額を集計して、すべてのレジスタの出金合計額、入金合計額、売上金合計額、レジスタ毎の出金合計額、入金合計額、売上金合計額、釣銭用硬貨収納庫１４及び釣銭用紙幣収納庫２４内の現金の収納金額を演算し、その演算結果を表示部３に表示する（Ｓ３５）。
【００４３】
続いて主制御部８は回収庫（硬貨回収庫１５、紙幣回収庫２５）を回収するか否かを問合せる画面を表示部３に表示して（Ｓ３６）、管理者に選択させる。
管理者が回収庫を回収しないこと（回収無）を選択すると、主制御部８は記憶部７のカウンタテーブルの入金・出金処理履歴に締上げ処理日時を書込んで更新し（Ｓ３７）、更に伝票記録部６で締め上げの処理結果を伝票に記録して管理者に発行する（Ｓ３８）。
【００４４】
図１０はこの締上げ処理結果が記録された伝票の例を示す図で、締め上げ処理日時、利用者のＩＤ番号、すべてのレジスタの出金合計額、入金合計額、売上金合計額、レジスタ毎の出金合計額、入金合計額、売上金合計等が記録されている。
また、管理者が回収庫を回収すること（回収有）を選択すると、主制御部８は記憶部７のカウンタテーブルの入金・出金処理履歴に締上げ処理日時を書込んで更新し（Ｓ３９）、更に伝票記録部６で前記と同様の締め上げの処理結果を伝票に記録して管理者に発行した（Ｓ４０）後、現金回収処理のための操作を促す画面を表示部３に表示して（Ｓ４１）、回収処理に移行する。
【００４５】
図６は回収庫の回収処理の手順を示すフローチャートで、図中のＳはステップを示し、以下このステップに従って説明する。
管理者または現金回収者が自分のＩＤカードを現金処理装置に設けられているカード挿入排出口に挿入すると、カードリーダ５がＩＤカードから利用者の区分を読取る（Ｓ５１）。
【００４６】
また、管理者または現金回収者はカード挿入後、操作部４を操作して自分の個人ＩＤ（利用者ＩＤ）、パスワードを入力する（Ｓ５２）。
主制御部８は管理者または現金回収者が入力した個人ＩＤ、パスワードを予め記憶部７等に登録されている個人ＩＤ、パスワードを照合し、正当性が確認された場合、ＩＤカードから読取った利用者区分に基づき、管理者の場合は「締上げ」、「回収」、「交換」を、現金回収者の場合は「回収」を選択するメニュー画面を表示部３に表示し（Ｓ５３）、管理者または現金回収者に選択させる。
【００４７】
ここで管理者または現金回収者が操作部４を操作して「回収」を選択すると、主制御部８は「回収」の選択を受付けて（Ｓ５４）、硬貨処理機１及び紙幣処理機２に電磁ロック手段のロック解除を指示し、この指示を受けて硬貨処理機１及び紙幣処理機２の制御部１８、２７は硬貨回収庫１５及び紙幣回収庫２５をそれぞれロックしている電磁ロック手段のロックを解除する（Ｓ５５）。
【００４８】
尚、締上げ処理から回収に移行した場合は、Ｓ５１〜Ｓ５４の処理を省略して電磁ロック手段のロックを解除から行うようにしてもよい。
電磁ロック手段のロックを解除により硬貨回収庫１５及び紙幣回収庫２５が取外し可能な状態になるので、管理者または現金回収者は硬貨回収庫１５及び紙幣回収庫２５の交換を行う。すなわち、それまで硬貨処理機１及び紙幣処理機２に装着されていた硬貨回収庫１５及び紙幣回収庫２５を取外して回収し、新たな硬貨回収庫１５及び紙幣回収庫２５を取付ける。
【００４９】
回収庫の交換が完了すると管理者または現金回収者は操作部４により交換完了の旨を入力するが、硬貨処理機１及び紙幣処理機２にセンサを設けて回収庫の着脱や扉の開閉を検知することにより入力に代えることも可能である。
主制御部８は回収庫交換完了の入力を受付けて（Ｓ５６）、その旨を硬貨処理機１及び紙幣処理機２に通知し、この通知により硬貨処理機１及び紙幣処理機２の制御部１８、２７は電磁ロック手段により交換された硬貨回収庫１５及び紙幣回収庫２５をロック（Ｓ５７）すると共に記億部１５ａ、２５ａから回収庫のＩＤを読み出し、主制御部８に通知する。
【００５０】
主制御部８は通知されたＩＤが回収庫交換履歴、または予め記憶(前回の回収・交換の回収庫確認時、回収庫のロック解除前・後、回収・交換メニュー選択後等に記憶)した硬貨回収庫１５及び紙幣回収庫２５のＩＤと一致するか否かを確認する（Ｓ５８）。
一致の場合は、交換が行われなかったものとして、その旨を表示部３に表示あるいはスピーカからの音声で報知して交換を促し、Ｓ５５からの処理をやり直す。
【００５１】
不一致の場合は、交換が行われたものとするが、この場合、交換された硬貨回収庫１５及び紙幣回収庫２５内の硬貨や紙幣の有無も確認し、有の場合はその旨を報知してＳ５５からの処理をやり直す。
主制御部８は記憶部７のカウンタテーブルの回収庫交換履歴（回収庫情報登録部）に今回の交換の処理結果として通番、利用者ＩＤ、区分、前後、金額、金種別枚数等を書込んで更新し（Ｓ５９）、更に伝票記録部６で回収処理結果を伝票に記録して管理者または現金回収者に発行する（Ｓ６０）。
【００５２】
尚、回収庫交換履歴の更新は伝票発行後に行うようにしてもよい。
図１１はこの回収処理結果が記録された伝票の例を示す図で、回収処理日時、利用者のＩＤ番号、回収した硬貨回収庫１５及び紙幣回収庫２５内に収納されている現金の金種毎の枚数、前回の締上げから今回の回収までに硬貨回収庫１５及び紙幣回収庫２５の交換があった場合の回収庫ＩＤ、そのとき硬貨回収庫１５及び紙幣回収庫２５内に収納されていた現金の金種毎の枚数、硬貨回収庫１５及び紙幣回収庫２５毎の交換回数、金種毎の合計枚数、全金種の合計額等が記録されている。
【００５３】
次に、管理者による回収庫の交換処理について説明する。
図７は回収庫交換処理の手順を示すフローチャートで、図中のＳはステップを示し、以下このステップに従って説明する。
管理者自分のＩＤカードを現金処理装置に設けられているカード挿入排出口に挿入すると、カードリーダ５がＩＤカードから利用者の区分を読取る（Ｓ７１）。
【００５４】
また、管理者はカード挿入後、操作部４を操作して自分の個人ＩＤ（利用者ＩＤ）、パスワードを入力する（Ｓ７２）。
主制御部８は管理者が入力した個人ＩＤ、パスワードを予め記憶部７等に登録されている個人ＩＤ、パスワードを照合し、正当性が確認された場合、ＩＤカードから読取った利用者区分に基づき、管理者の操作可能な「締上げ」、「回収」、「交換」を選択するメニュー画面を表示部３に表示し（Ｓ７３）、管理者に選択させる。
【００５５】
ここで管理者が操作部４を操作して「交換」を選択すると、主制御部８は「交換」の選択を受付けて（Ｓ７４）、硬貨処理機１及び紙幣処理機２に電磁ロック手段のロック解除を指示し、この指示を受けて硬貨処理機１及び紙幣処理機２の制御部１８、２７は硬貨回収庫１５及び紙幣回収庫２５をそれぞれロックしている電磁ロック手段のロックを解除する（Ｓ７５）。
【００５６】
これにより硬貨回収庫１５及び紙幣回収庫２５が取外し可能な状態になるので、管理者は硬貨回収庫１５及び紙幣回収庫２５の交換を行う。すなわち、それまで硬貨処理機１及び紙幣処理機２に装着されていた硬貨回収庫１５及び紙幣回収庫２５を取外して回収し、新たな硬貨回収庫１５及び紙幣回収庫２５を取付ける。
回収庫の交換が完了すると管理者は操作部４により交換完了の旨を入力するが、硬貨処理機１及び紙幣処理機２にセンサを設けて回収庫の着脱や扉の開閉を検知することにより入力に代えることも可能である。
【００５７】
主制御部８は回収庫交換完了の入力を受付けて（Ｓ７６）、その旨を硬貨処理機１及び紙幣処理機２に通知し、この通知により硬貨処理機１及び紙幣処理機２の制御部１８、２７は電磁ロック手段により交換された硬貨回収庫１５及び紙幣回収庫２５をロック（Ｓ７７）すると共に記億部１５ａ、２５ａから回収庫のＩＤを読み出し、主制御部８に通知する。
【００５８】
主制御部８は通知されたＩＤが回収庫交換履歴、または予め記憶(前回の回収・交換の回収庫確認時、回収庫のロック解除前・後、回収・交換メニュー選択後等に記憶)した硬貨回収庫１５及び紙幣回収庫２５のＩＤと一致するか否かを確認する（Ｓ７８）。
一致の場合は、交換が行われなかったものとして、その旨を表示部３に表示あるいはスピーカからの音声で報知して交換を促し、Ｓ７５からの処理をやり直す。
【００５９】
不一致の場合は、交換が行われたものとするが、この場合、交換された硬貨回収庫１５及び紙幣回収庫２５内の硬貨や紙幣の有無も確認し、有の場合はその旨を報知して（Ｓ７９）、Ｓ５５からの処理をやり直す。
主制御部８は記憶部７のカウンタテーブルの回収庫交換履歴に今回の交換の処理結果として通番、利用者ＩＤ、区分、前後、金額、金種別枚数等を書込んで更新し（Ｓ８０）、更に伝票記録部６で回収庫交換処理結果を伝票に記録して管理者に発行する（Ｓ８１）。
【００６０】
尚、回収庫交換履歴の更新は伝票発行後に行うようにしてもよい。
図１２はこの回収庫交換処理結果が記録された伝票の例を示す図で、交換処理日時、利用者のＩＤ番号、交換した硬貨回収庫１５及び紙幣回収庫２５の回収庫ＩＤ、前回の締上げから今回の回収までに硬貨回収庫１５及び紙幣回収庫２５の交換があった場合のそれぞれの交換回数、今回交換した硬貨回収庫１５及び紙幣回収庫２５内に収納されている現金の金種毎の枚数（売上高）、全金種の合計額等が記録されている。
【００６１】
以上説明した実施例によれば、現金回収庫（硬貨回収庫及び紙幣回収庫）に記憶部を設けてそれぞれ固有のＩＤを記憶させ、現金回収庫の交換の際に記憶部からＩＤを読取って収納する現金と共に管理するようにしているため、現金回収庫の交換を把握することができ、締上げ処理をせずに現金回収庫を交換しても、装置内の現金を確定することができる。
【００６２】
また、交換する現金回収庫内の現金と、交換したことを示す情報を登録しているため、締上げの際や回収の際に、これらを伝票に出力することで、交換した現金回収庫を忘れるミスを防止することができる。
尚、上述した実施例では、入金処理や出金処理の履歴と、後述する釣銭収納庫の入出金履歴、回収庫の入金履歴を格納するカウンタテーブルを記憶部７に設けて現金管理を行うものとしたが、硬貨処理機１や紙幣処理機２の記憶部にテーブルを設けて現金管理を行うようにしてもよい。
【００６３】
また、上述した実施例では、レジＮｏ．はＩＤカードには記録するものとしたが、レジＮｏ．はＩＤカードには記録せず、個人ＩＤと関連付けて記憶するようにしてもよく、画面入力させることも可能である。
【図面の簡単な説明】
【００６４】
【図１】実施例の構成を示すブロック図
【図２】カウンタテーブルに記憶される履歴内容例を示す図
【図３】出金処理の手順を示すフローチャート
【図４】入金処理の手順を示すフローチャート
【図５】締上げ処理の手順を示すフローチャート
【図６】回収処理の手順を示すフローチャート
【図７】回収庫交換処理の手順を示すフローチャート
【図８】出金処理結果が記録された伝票の例を示す図
【図９】入金処理結果が記録された伝票の例を示す図
【図１０】締上げ処理結果が記録された伝票の例を示す図
【図１１】回収処理結果が記録された伝票の例を示す図
【図１２】回収庫交換処理結果が記録された伝票の例を示す図
【符号の説明】
【００６５】
１    硬貨処理機
２    紙幣処理機
３    表示部
４    操作部
５    カードリーダ
６    伝票記録部
７    記憶部
８    主制御部
１１  硬貨入金口
１２  硬貨鑑別部
１３  硬貨一時保留部
１４  釣銭用硬貨収納庫
１５  硬貨回収庫
１５ａ  記憶部
１６  硬貨出金庫
１７  硬貨リジェクト口
１８  制御部
２１  紙幣入出金口
２２  紙幣鑑別部
２３  紙幣一時保留部
２４  釣銭用紙幣収納庫
２５  紙幣回収庫
２５ａ  記憶部
２６  紙幣リジェクト庫
２７  制御部
【図１】
2007265154.tif 000003
【図２】
2007265154.tif 000004
【図３】
2007265154.tif 000005
【図４】
2007265154.tif 000006
【図５】
2007265154.tif 000007
【図６】
2007265154.tif 000008
【図７】
2007265154.tif 000009
【図８】
2007265154.tif 000010
【図９】
2007265154.tif 000011
【図１０】
2007265154.tif 000012
【図１１】
2007265154.tif 000013
【図１２】
2007265154.tif 000014